(57)【特許請求の範囲】
【請求項１】
浴用座部であって、
天板と、前記天板と連絡した一対の中央に配置された離間した排水孔とを備え、前記天板が、前記排水孔の間に延びる溝を備え、前記溝が、幅広の第１の端部、幅広の第２の端部、および前記溝の前記両端部を接続する接続部分を有することにより、前記溝に入った液体が、前記排水孔に送られ、それにより前記座部から排水される、浴用座部。
【請求項２】
前記溝の前記両端部が、前記溝の前記接続部分より凹んでおり、かつ幅広である、請求項１に記載の座部。
【請求項３】
前記溝が、凹面状であり、体液の排水を促進するように構成され、前記溝の前記両端部が丸みを付けられ、前記の各排水孔の周りを取り囲んで延びている、請求項１に記載の座部。
【請求項４】
前記溝の前記第１の端部および前記第２の端部が、部分的に球形をしている、請求項１に記載の座部。
【請求項５】
前記溝が、凹面状であり、前記座部が、第１の側部および第２の側部を有し、前記天板が、前記第１の側部から前記第２の側部に延び、前記溝が、前記第１の側部と前記第２の側部の間の中央に配置され、前記座部が、前記座部の前記第１の側部および前記座部の前記第２の側部が前記溝より高い位置に位置するような湾曲を有し、それにより、前記座部の前記天板に接触した液体が、前記座部の前記湾曲によって前記溝に送られる、請求項１に記載の座部。
【請求項６】
前記座部の前記天板が、長円形凹部分を備え、前記溝が、前記長円形凹部分より凹んでおり、前記長円形凹部分が、少なくとも部分的には前記溝の周りに延びるように構成される、請求項１に記載の座部。
【請求項７】
前記長円形凹部分が、部分的に球形をしており、前記座部に接触した液体を前記溝のほうへ送るように構成される、請求項６に記載の座部。
【請求項８】
前記長円形凹部分が、前記排水孔の周りに延び、さらに前記溝の前記両端部の少なくとも一方の周りに延びる、請求項６に記載の座部。
【請求項９】
前記座部が、前端部と、前記前端部の反対側の後端部とを備え、前記座部の前記天板が、前記前端部と前記後端部の間に延び、前記溝の前記第１の端部が、前記座部の前記前端部に近接して配置され、前記溝の前記第２の端部が、前記座部の前記後端部に近接して配置され、前記溝が、前記座部の前記前端部と前記後端部の間に延びる、請求項１に記載の座部。
【請求項１０】
前記座部が、前記座部のＵ字型部分によって画定される凹部をさらに備え、前記凹部が、前記座部の前記前端部および前記後端部のうちの一方に近接して配置されてそこから内側に延び、前記凹部が、前記溝と位置合わせされ、体液の排水をさらに促進するように構成される、請求項９に記載の座部。
【請求項１１】
前記座部の前記Ｕ字型部分である前記凹部が中央に配置され、男性の使用者に適応するように構成され、前記溝が、前記凹部と前記座部の前記前端部および前記後端部のうちの他方との間に配置される、請求項１０に記載の座部。
【請求項１２】
前記座部の前記天板が、長円形凹部分を備え、前記溝が、前記長円形凹部分より凹んでおり、前記長円形凹部分が、少なくとも部分的には前記溝および前記凹部の両方の周りに延びるように配置され、かつ前記座部に接触した液体を前記溝および前記凹部のうちの少なくとも一方に送るように構成される、請求項１０に記載の座部。
【請求項１３】
前記溝の端部間の長さが、２０センチメートル以下であり、前記溝の端部近傍における最大幅が、５センチメートル以下であり、前記溝の接続部分における最小幅が、２．２センチメートル以下である、請求項１に記載の浴用座部。
【請求項１４】
前記溝が、溝の端部近傍で最大幅を有し、接続部分で最小幅を有し、最小幅に対する最大幅の比が、１．８から２．２の間である、請求項１に記載の浴用座部。
【請求項１５】
請求項１に記載の座部を有する浴用椅子。
【請求項１６】
浴用座部であって、
天板と、前端部と、前記前端部に近接して配置されるＵ字型部分によって確定される凹部と、前記前端部の反対側の後端部とを備え、前記天板が、前記前端部と前記後端部の間に延び、前記天板が、中央に配置された溝を有し、前記溝が、前記座部の前記Ｕ字型部分によって確定される凹部から離間した幅広の第１の端部と、前記第１の端部から離間して前記座部の前記後端部に位置合わせされた前記第１の端部より小さい第２の端部、および前記溝の前記両端部を接続する接続部分とを有し、これにより、前記溝に入った液体が、前記溝の前記第２の端部に送られ、前記座部の前記後端部を超えて前記座部から排水される、浴用座部。
【請求項１７】
前記座部が、体液の除去を促進するように適応され、前記溝の前記第１の端部が、部分的に球形をしており、かつ部分的に半円形をしており、前記溝の前記第２の端部がＵ字型をしており、前記溝が、湾曲した輪郭を有する、請求項１６に記載の座部。
【請求項１８】
前記座部の前記Ｕ字型部分によって確定される凹部が、前記溝と位置合わせされ、液体の排水をさらに促進するように構成される、請求項１６に記載の座部。
【請求項１９】
浴用座部であって、
天板、前記天板の反対側の底部、前端部、前記前端部の反対側の後端部、および一対の離間した側部を備え、前記天板および前記底部が前記側部の間および前記座部の前記前端部と前記後端部の間に延び、前記座部を前記天板から前記底部まで貫通して延びる一対の中央に配置された離間した排水孔を備え、前記排水孔が、前記座部の前記両側部の間で前記座部の中程に配置され、前記各排水孔が、前記座部の前記前端部および前記後端部とにそれぞれ近接して配置され、前記座部の前記天板上に配置された溝を備え、前記溝は前記両排水孔の間に延びており、前記座部が、前記座部の前記側部が前記溝より高い位置に位置するような凹面状の湾曲を有し、前記溝が、丸みを付けた第１の端部、前記第１の端部と離間し丸みを付けた第２の端部、および前記溝の前記両端部を接続する接続部分を有し、前記溝の前記両端部が、部分的に球形をしており、前記溝の前記両端部は前記溝の前記接続部分より幅広でかつ凹んでおり、前記溝の前記接続部分が、前記座部の前記前端部と前記後端部の中程においてＵ字型をしており、前記溝の両端部に近づくほど球形に近づき、かつ凹みが大きくなり、前記溝の前記接続部分および前記両端部が、前記座部の前記両側部の間の中程において凹みがより大きくなる浴用座部。
【請求項２０】
前記座部の前記底部に接続されてそこから延びる複数の脚部と、
前記座部の前記後端部から延びてそこに機能的に接続された使用者の背中を支持する背もたれと、を組み合わせることにより、
前記座部の前記天板に接触した液体が、前記座部の前記湾曲によって前記溝に送られ、前記溝に入った液体が、前記排水孔に送られて前記座部から排水される、請求項１９に記載の座部。
【発明の詳細な説明】
【技術分野】
【０００１】
本発明は、椅子に関する。特に、本発明は、浴用椅子に関する。
【背景技術】
【０００２】
日本国特願第２００８−２１２５０号には、平底溝内に一対の離間排水孔を備えた浴用椅子が開示されている。孔は、両臀部それぞれと位置合わせされたような外観である。しかし、この椅子は、比較的長時間座っていなければならないときに、快適でない可能性がある。平底溝が、体液などの液体をその溝の中に溜めてしまい、椅子の排水孔に流さない場合があるからである。また、排水孔は、両臀部それぞれと位置合わせされるように構成されている。したがって、使用者の両臀部が排水孔を塞いで、液体が溝から排水孔に流れるのを妨げてしまう可能性がある。流れを妨げられて溜まった水が、使用者の両臀部に触れると、椅子はさらに不快に感じられる可能性がある。
【０００３】
Ｌｉｎｄｑｖｉｓｔ等の米国意匠特許第Ｄ５６６４０９号およびＣｌａｒｋの米国意匠特許第２９４６６４号は、少なくともその一部が排水孔を備える複数の溝を備えた椅子を提供している。しかし、これらの溝の数および具体的構成により、これらの椅子は、座ると比較的不快に感じられる可能性がある。これらの椅子は、いくつかの平坦領域を有するような外観をしており、溝および孔がいくつか形成されてはいるが、これらの平坦領域によって、椅子の上に不要な体液が溜まりやすくなっている可能性がある。
【先行技術文献】
【特許文献】
【０００４】
【特許文献１】特願第２００８−２１２５０号
【特許文献２】米国意匠特許第Ｄ５６６４０９号
【特許文献３】米国意匠特許第２９４６６４号
【発明の概要】
【発明が解決しようとする課題】
【０００５】
本発明は、上記の欠点を克服する、本明細書に開示する浴用椅子を提供するものである。本発明の目的は、改良された浴用椅子を提供することである。
【課題を解決するための手段】
【０００６】
したがって、天板と、天板と連絡した一対の中央に配置された離間した排水孔とを備える浴用座部を提供する。座部の天板は、両排水孔の間に延びる溝を備える。溝は、幅広の第１の端部、幅広の第２の端部、および溝の両端部を接続する接続部分を有する。溝に入った液体は、排水孔に送られることにより、座部から排水される。
【０００７】
また、天板と、前端部と、前端部の反対側の後端部とを備える浴用座部を提供する。座部の天板は、座部の前端部と後端部の間に延びる。座部の天板は、中央に配置された溝を有する。溝は、幅広の第１の端部と、その第１の端部から離間した第２の端部とを有する。溝の第２の端部は、溝の第１の端部より小さい。溝は、溝の両端部を接続する接続部分を備える。溝の第２の端部は、座部の前端部および後端部のうちの一方と位置合わせされる。溝に入った液体は、溝の第２の端部に送られ、座部の前端部および後端部のうちの上記一方を越える。そして、液体は、座部から排水される。
【０００８】
さらに、浴用椅子の座部を提供する。この座部は、天板、天板の反対側の底部、前端部、後端部、および一対の離間した側部を有する。座部の天板および底部は、座部の両側部の間に延びる。座部の天板および底部は、座部の前端部と後端部の間に延びる。座部は、座部を天板から底部まで貫通して延びる、一対の中央に配置された離間した排水孔を備える。排水孔は、座部の両側部の間で座部の中程に配置される。各排水孔は、座部の前端部および後端部とそれぞれ近接して配置される。座部の天板は、両排水孔の間に延びる溝を備える。座部は、座部の側部が溝より高い位置に位置するような凹面状の湾曲を有する。溝は、丸みを付けた第１の端部、丸みを付けた第２の端部、および溝の両端部を接続する接続部分を有する。溝の両端部は、部分的に球形をしている。溝の両端部は、溝の接続部分より幅広であり、かつ凹んでいる。接続部分は、座部の前端部と後端部の間でＵ字型をしている。接続部分は、溝の両端部に近づくほど球形に近づき、かつ凹みが大きくなる。溝の接続部分および両端部は、座部の両側部の間の中程において凹みがより大きくなる。
【０００９】
本発明は、例示を目的として与える以下の本発明の好ましい実施形態の説明を添付の図面を参照して読めば、より容易に理解することができるであろう。
【図面の簡単な説明】
【００１０】
【図１】第１の実施形態による浴用椅子を示す、正面上方から見た斜視図である。
【図２】図１に示す椅子の正面図である。
【図３】図１に示す椅子の平面図である。
【図４】座部の中央溝をその近接部分とともに示す、図３の椅子の線４−４に沿った断面図である。
【図５】座部の中央溝をその近接部分とともに示す、図３の椅子の線５−５に沿った断面図である。
【図６】図１に示す椅子を示す、背面下方から見た斜視図である。
【図７】第２の実施形態による浴用椅子を示す、正面上方から見た斜視図である。
【図８】図７に示す椅子の正面図である。
【図９】図７に示す椅子の平面図である。
【図１０】座部の中央溝をその近接部分とともに示す、図９の椅子の線１０−１０に沿った断面図である。
【図１１】座部の中央溝をその近接部分とともに示す、図９の椅子の線１１−１１に沿った断面図である。
【図１２】図７に示す椅子の底面図である。
【図１３】第３の実施形態による浴用椅子を示す、正面上方から見た斜視図である。
【図１４】溝および長円形凹部分を有する、図１３に示す椅子の平面図である。
【図１５】座部の溝および凹部分をその近接部分とともに示す、図１４の椅子の線１５−１５に沿った断面図である。
【図１６】座部の溝および凹部分をその近接部分とともに示す、図１４の椅子の線１６−１６に沿った断面図である。
【図１７】第４の実施形態による浴用椅子を示す、正面上方から見た斜視図である。
【図１８】溝および長円形凹部分を有する、図１７に示す椅子の平面図である。
【図１９】図１７に示す椅子の底面図である。
【図２０】座部の後端部に位置する溝を有する、第５の実施形態による椅子の座部の平面図である。
【図２１】座部の溝をその近接部分とともに示す、図２０の座部の線２１−２１に沿った断面図である。
【図２２】座部の溝をその近接部分とともに示す、図２０の座部の線２２−２２に沿った断面図である。
【図２３】座部の後端部に位置する溝を有する、第６の実施形態による椅子の座部の平面図である。
【発明を実施するための形態】
【００１１】
図面の中でも、まず図１を参照すると、椅子、この例では浴用椅子４０が示してある。浴用椅子は、入浴時に腰掛けるための浴用座部４２を備える。椅子は、図１の斜視図では座部４２から下向きに延びる、複数の椅子脚部４４を備える。図３に示す例では、椅子脚部４４は４本である。椅子は、図１の斜視図では座部４２から上向きに延びる背もたれ４６を備える。浴用座部４２は、図２および図４に示すように、ほぼ方形の天板４８と、その反対側の底部５０とを備える。天板４８は、使用者が座部４２に不快感を覚えることなく長時間座っていることができるように、クッションの形態をしている、かつ／または十分に詰物がされていることが好ましい。脚部４４は、底部から延びる。この例では、図６に示すように、脚部４４は、ねじ４５によって十字型に座部の底部５０に接続された一対のＵ字型棒の形態をしている。
【００１２】
再度図１を参照すると、座部４２は、前端部５２およびその反対の後端部５４を有する。背もたれ４６は、座部の後端部５４に機能的に接続され、そこから延びている。この例では、背もたれ４６は、後端部５４をまたいで延びる一対のＬ字型棒５５によって、座部４２の底部５０に接続される。図６に示すように、この例では、棒５５は、クランプ５７によって脚部４４に接続される。
【００１３】
図１から分かるように、座部４２は、第１の側部５６および第１の側部から離間した第２の側部５８を有する。天板４８および底部５０は、端部５２と５４の間に延び、また側部５６と５８の間に延びる。背もたれ４６は、側部５６と５８の間に配置される。座部４２は、握りとして機能する側部ハンドル６０および６２を備え、これらのハンドルは、この例では側部５６および５８に近接している。
【００１４】
図２に示すように、座部４２は、側部５６と５８の間で天板４８上に位置する中央部分６４を備える。図２に最も分かりやすく示すように、座部４２は、上向きに窪んだ湾曲を有し、座部の側部５６および５８が、中央部分６４よりも高い位置にある。換言すれば、中央部分６４は、側部５６および５８よりも凹み、脚部４４の方向に延びている。
【００１５】
図３を参照すると、座部４２は、座部の中央部分に位置する、一対の中央に配置された離間した排水孔６６および６８を備える。図１および図６に示すように、排水孔６６および６８は、座部４２を貫通して延びているため、座部の天板４８からの水を底部５０から出して座部から排出することができる。
【００１６】
座部４２の天板４８は、排水孔６６と６８の間に延びる溝７０を備える。溝７０は、湾曲した輪郭を有する。具体的には、溝７０は、幅広の第１の端部７２と、その反対側の幅広の第２の端部７４とを有する。この例では、端部７２および７４は、丸みが付けられ、部分的に球形をしている。
【００１７】
溝は、溝の端部７２と７４を接続する接続部分７６を備える。図１および図４に示すように、接続部分７６は、端部７２と７４の間に位置する中間点７７では、ほぼＵ字型をしている。図１、図４および図５を参照すると、接続部分の形状は、溝の端部７２および７４に近づくほど、徐々にＵ字型が影を潜め、球形に近づいていく。図５から分かるように、端部７２および７４は、接続部分７６より凹みが大きい。端部７２および７４は、接続部分７６より幅が広い。このことは、端部７４については図４から分かる。図５から分かるように、接続部分７６は、溝の端部７２および７４に近づくほど、凹みが大きくなる。図１および図４から分かるように、接続部分７６ならびに端部７２および７６は、座部の側部５６と５８の間の中間線７９に近づくほど、凹みが大きくなる。溝７０は、各端部の一対の離間した丸形部（丸形端部７２および７４）と、それらの丸形部を接続する細い中央部分（接続部分７６）とを有すると説明することもできる。
【００１８】
このように、溝７０は、端部７２および７４のうちの一方を介して、または接続部分７６のいずれかの部分を介して溝７０に入った液体を、溝によって排水孔６６および６８に向けて送ることによって、座部から排水するように構成されている。
【００１９】
図５に示すように、溝７０は、端部７２と７４の間に延びる長さＬを有し、この例では、長さＬは１８．７７センチメートルに等しい。図３を参照すると、溝は、その端部７２および７４の近傍において、側部５６および５８の方向に延びる最大幅ＷＭＡＸを有する。この例における幅ＷＭＡＸは、４．１４センチメートルに等しい。溝は、その接続部分７６において、最小幅ＷＭＩＮを有し、この最小幅ＷＭＩＮは、この例では１．９４センチメートルに等しい。様々な好ましい実施形態によれば、Ｌは、２０センチメートル以下とすることができ、ＷＭＡＸは、５センチメートル以下とすることができ、ＷＭＩＮは、２．２センチメートル以下とすることができる。溝の最小幅に対する最大幅の比は、１．８から２．２の間とすることができる。これらの長さおよび比は、例示を目的として与えたものであり、厳格に必要とされるものではない。
【００２０】
図１および図２を参照すると、この椅子に座って入浴している使用者から生じる液体および／またはこの椅子に座っている使用者から出る体液は、座部の天板４８に接触すると、排水孔６６および６８に向けて送られるので、使用者と接触した状態のままとどまることはない。溝７０の外側の領域で天板４８と接触する液体は、座部の湾曲によって座部の溝７０に送られる。溝７０に接触し、端部７２および７４のうちの一方または接続部分７６のいずれかの部分を介して溝７０に入った液体は、溝によって排水孔６６および６８に向かって送られ、座部から排水される。
【００２１】
溝７０は、特に、体液の除去を容易にするように構成される。溝７０は、使用者の両臀部の間に位置合わせされるように構成され、また、端部６６および６８の少なくとも一方が使用者の陰部領域に近接するように配置されることを保証するように構成されることが好ましい。したがって、溝７０は、例えば失禁に苦しんでいる可能性がある使用者から出る体液を捕捉して排水するように最適に位置決めされる。また、溝７０は、普通なら座部の天板上に溜まって不快感を生じたり、かつ／または苛々の原因となったりする可能性がある浴槽の水またはシャワー水などの液体を捕捉して除去するように最適に位置決めされる。換言すれば、本明細書に記載したような輪郭を有する溝７０は、様々な形状の溝で普通なら生じる可能性がある水の溜まりを防止するように機能しながら、既存の既知の浴用椅子よりも効率的に液体の廃水を促すことができる。使用者の両臀部の間に溝を配置することにより、体液の効率的な捕捉および排水を目的とした椅子が得られる。これにより、溝を比較的小型にして、詰物をした天板４８を備えた椅子の、座った際の快適さを確実に維持することができる。
【００２２】
図７から図１２は、第２の実施形態による浴用椅子４０．１と、特に浴用座部４２．１とを示す図である。図１から図６に示す実施形態と同じ部分は、小数点の拡張子「．１」を加えて同じ番号で示してあり、これらの同じ部分は、同じように機能する。浴用座部４２．１は、以下の例外点を除けば、図１から図６に示す座部４２と実質的に同じである。座部４２．１は、座部のＵ字型部分によって画定される中央に位置する凹部７８を備える。凹部７８は、この例では、座部の前端部５２．１に近接して配置され、前端部５２．１から内側に延びる。図９に最も分かりやすく示すように、凹部７８は、半円形領域８０と、それに近接する細長領域８２とを備える。細長領域８２は、座部の前端部５２．１にも近接している。凹部７８は、溝７０．１と位置合わせされる。溝７０．１は、この例では、座部の凹部７８と後端部５４．１の間に配置される。
【００２３】
座部４２．１は、使用者の大腿部を支えるように構成された脚部支持部分８４および８６も備える。凹部７８は、脚部支持部分８４と８６の間に配置される。前述のように、凹部７８は、図９の上面図から分かるように座部４２．１がほぼＵ字型になるように成形される。
【００２４】
凹部７８は、特に、男性の使用者が座れるように適応される。したがって、このように構成された凹部７８は、使用者から出た液体の排水をさらに容易にするように作用し、したがって、座部にこの凹部がなかった場合に男性が覚える可能性がある不快感を生じさせないように作用する。この場合も、溝７０．１は、図９に示すように、使用者の両臀部の間に位置合わせされるように中央に配置される。
【００２５】
図１３から図１６は、第３の実施形態による浴用椅子４０．２と、特に浴用座部４２．２とを示す図である。図１から図６に示す実施形態と同じ部分は、小数点の拡張子「．２」を加えて同じ番号で示してあり、これらの同じ部分は、同じように機能する。浴用座部４２．２は、座部４２．２の天板４８．２が長円形凹部分８７を備えるという１点の例外点を除けば、図１から図６に示す座部４２と実質的に同じである。長円形凹部分８７は、凹面状であり、部分的に球形をしている。図１６から分かるように、溝７０．２は、長円形凹部分８７よりさらに凹んでいる。
【００２６】
凹部分８７は、外側領域８８を備える。図１４から分かるように、凹部分８７の外側領域８８は、排水孔６６．２および６８．２の周りに延びる。また、外側領域８８は、少なくとも部分的には溝７０．２の周りに延びるように配置される。この例では、外部領域８８は、さらに、少なくとも部分的には溝の両端部のうちの少なくとも一方の周り、この例では溝の端部７２．２の周りに延びるように配置される。凹部分８７の外部領域８８は、液体をそこに注ぎ、溝７０．２に向けて送るように構成される。
【００２７】
凹部分８７は、外側領域８８に囲まれた内側領域８９を備える。図１６から分かるように、凹部分８７の内側領域８９は、一般に、外側領域８８よりさらに凹んでいる。図１４に示すように、内側領域８９は、座部４２．２の側部５６．２および５８．２に向かって延びる長軸を有する楕円形をしている。図１３から分かるように、凹部分８７の内側領域８９は、そこに入った液体を溝７０．２の接続部分７６．２に向けて送るように構成される。したがって、凹部分８７は、凹部分８７に接触した液体を溝７０．２に送るように構成され、座部４２．２からの液体の除去をさらに促進する。
【００２８】
図１７から図１９は、第４の実施形態による浴用椅子４０．３と、特に浴用座部４２．３とを示す図である。図７から図１２に示す実施形態と同じ部分は、「．１」を小数点の拡張子「．３」で置き換えて、また図７から図１２において「．１」が付されていない対応部分には小数点の拡張子「．３」を加えて同じ番号で示してあり、これらの同じ部分は、同じように機能する。座部４２．３の天板４８．３は、図１３から図１６に示す実施形態の座部４２．２で示した凹部分８７と実質的に同じ、中央に配置された長円形凹部分９０を備える。凹部分９０は凹面状であり、部分的に球形をしており、溝７０．３および凹部７８．３と位置合わせされている。凹部分９０は、少なくとも部分的には、溝７０．３および凹部７８．３の両方の周囲に延びるように配置される。
【００２９】
凹部分９０は、外側領域９１と、外側領域９１に囲まれた内側領域９２とを備える。内側領域９２は、外側領域９１よりさらに凹んでいる。内側領域９２は、長円形をしており、座部４２．３の側部５６．３および５８．３に向かって延びる長軸を有する。図１８に示すように、凹部分９０の内側領域９２は、溝７０．３の端部７２．３および排水孔６６．３の周りに延びるように成形される。内側領域９２は、また、凹部７８．３の半円形領域８０．３の周りにも部分的に延びるように成形される。
【００３０】
このように、凹部分９０は、座部４２．３の天板３８．２に接触した液体を溝７０．３および／または凹部７８．３に送るように構成される。凹部分９０は、液体の排水をさらに促進する相乗効果をもたらすと同時に、座部４２．３を使用者にとってさらに快適にするように構成される。
【００３１】
図２０から図２２は、第５の実施形態による、図１から図６に示すような浴用椅子とともに使用することができる浴用座部４２．４を示す図である。図７から図１２に示す実施形態と同じ部分は、「．１」を小数点の拡張子「．４」で置き換えて、また図７から図１２において「．１」が付されていない対応部分には小数点の拡張子「．４」を加えて同じ番号で示してあり、これらの同じ部分は、同じように機能する。座部４２．４は、座部４２．４の天板４８．４が、溝７０．１の代わりに、座部の後端部５４．４に隣接して配置され座部の側部５６．４と５８．４の間に置かれた溝９４を有しているという１点の例外点を除けば、図７から図１２に示す座部４２．１と実質的に同じである。
【００３２】
溝９４は、幅広の第１の端部９６およびその第１の端部から離間した第２の端部９８を有する、湾曲した輪郭を有する。この例における第１の端部９６は丸みが付けられ、部分的に球形をしており、また部分的に半円形をしている。第２の端部９８は、この例では、座部の後端部５４．４と位置合わせされ、これと近接している。溝９４の第２の端部９８は、溝の第１の端部９６より幅が小さく、Ｕ字型をしている。溝９４は、溝の端部９６と９８を接続する接続部分１００を備える。接続部分１００は、Ｕ字型をしており、端部９６に近づくほどＵ字型が影を潜め、球形に近づいていく。
【００３３】
図２２に示すように、溝９４は、その第２の端部９８に、座部４２．４の後端部５４．４の中程まで座部の底部５０．４に向かって延びる湾曲凹部１０２を備える。図２０に示すように、凹部１０２はまた、座部の後端部５４．４に向かうほど、座部の側部５６．４および５８．４に向かって外側に拡大する。このように、凹部１０２は、水を溝９４から、座部から離れるように下向きおよび外向きの方向に送るように構成される。
【００３４】
したがって、溝９４を備えた座部４２．４は、別の方法で体液を捕捉して排水するように適応されている。溝９４に入った液体は、溝９４の第２の端部９８に送られ、座部の後端部５４．４を越えて、重力によって座部から排水される。溝９４の端部９６の、中央に位置し、円形であり球形であるという特徴により、座部が使用者が座るのに比較的快適な状態を維持することを保証しながら、効率的かつ小型な所望の方法で、溝が体液を捕捉する能力が最適化される。凹部７８．４は、溝９４と位置合わせされ、座部からの液体の排水をさらに促進するように構成される。
【００３５】
図２３は、第６の実施形態による、図１から図６に示すような浴用椅子とともに使用することができる浴用座部４２．５を示す図である。図２０から図２２に示す実施形態と同じ部分は、「．４」を小数点の拡張子「．５」で置き換えて、また図２０から図２２において「．４」が付されていない対応部分には小数点の拡張子「．５」を加えて同じ番号で示してあり、これらの同じ部分は、同じように機能する。座部４２．５は、湾曲凹部１０２．５が、接続部分１００．５から、座部の側部５６．５および５８．５に対して直線的かつ連続的に延びるという例外点を除けば、図２０から図２２に示す座部４２．４と実質的に同じである。
【００３６】
本明細書に記載した本発明の範囲内で、さらなる変形が可能であることは理解されるであろう。例えば、参照番号７８とその枝番で示した凹部は、椅子の後端部から内側に向かって延びていてもよい。本明細書で端部や溝などの説明に用いた「円形」および「球形」という言葉は、厳密な幾何学的用語ではなく、大まかな形状を述べるものであり、様々に変化してもよい。本明細書では、椅子を浴用椅子と呼んでいるが、この椅子は、シャワーの際に使用することもできるし、スポンジ等で身体を拭く際に使用することもできるし、あるいはその他の形で身体を洗う際に使用することもできる。
【００３７】
当業者なら、上記に与えた詳細の多くは、単に例示を目的として与えたものであり、以下の特許請求の範囲を基準として決定される本発明の範囲を限定するためのものではないことを理解するであろう。
【図１】
0005791017.tif 000002
【図２】
0005791017.tif 000003
【図３】
0005791017.tif 000004
【図４】
0005791017.tif 000005
【図５】
0005791017.tif 000006
【図６】
0005791017.tif 000007
【図７】
0005791017.tif 000008
【図８】
0005791017.tif 000009
【図９】
0005791017.tif 000010
【図１０】
0005791017.tif 000011
【図１１】
0005791017.tif 000012
【図１２】
0005791017.tif 000013
【図１３】
0005791017.tif 000014
【図１４】
0005791017.tif 000015
【図１５】
0005791017.tif 000016
【図１６】
0005791017.tif 000017
【図１７】
0005791017.tif 000018
【図１８】
0005791017.tif 000019
【図１９】
0005791017.tif 000020
【図２０】
0005791017.tif 000021
【図２１】
0005791017.tif 000022
【図２２】
0005791017.tif 000023
【図２３】
0005791017.tif 000024